(57)【要約】      （修正有）【課題】特にベゼルと蓋体とのずれや外れを有効に防止すること。【解決手段】ベース本体１０と蓋体２０とからシャーシ外装を構成し、ベゼル３０に形成したディスク挿入口３１からディスクを直接挿入するスロットイン型ディスク装置であって、ベゼル３０には、ディスク挿入口３１と平行な一方の辺から蓋体２０側に突出させた蓋体用爪部３３Ａ、３３Ｂ、３３Ｃ、３３Ｄと、蓋体用爪部３３Ａ、３３Ｂ、３３Ｃ、３３Ｄの両側方に形成した段差部３２とを有し、蓋体２０には、蓋体用爪部３３Ａ、３３Ｂ、３３Ｃ、３３Ｄと係合する蓋体側孔部２７Ａ、２７Ｂ、２７Ｃ、２７Ｄと、蓋体側孔部２７Ａ、２７Ｂ、２７Ｃ、２７Ｄの両側方に形成した蓋体側突起部２８Ａ、２８Ｂとを有し、蓋体用爪部３３Ａ、３３Ｂ、３３Ｃ、３３Ｄを蓋体側孔部２７Ａ、２７Ｂ、２７Ｃ、２７Ｄと係合させた状態では、蓋体側突起部２８Ａ、２８Ｂが段差部３２に当接することを特徴とする。【選択図】        図３
2006323905.tif 000002
【特許請求の範囲】
【請求項１】
ベース本体と蓋体とからシャーシ外装を構成し、前記シャーシ外装のフロント面にはベゼルを設け、前記ベゼルに形成したディスク挿入口からディスクを直接挿入するスロットイン型ディスク装置であって、
前記ベゼルには、前記ディスク挿入口と平行な一方の辺から前記蓋体側に突出させた蓋体用爪部と、前記蓋体用爪部の両側方に形成した段差部とを有し、
前記蓋体には、前記蓋体用爪部と係合する蓋体側孔部と、前記蓋体側孔部の両側方に形成した蓋体側突起部とを有し、
前記蓋体用爪部を前記蓋体側孔部と係合させた状態では、前記蓋体側突起部が前記段差部に当接することを特徴とするスロットイン型ディスク装置。
【請求項２】
前記蓋体用爪部を、それぞれが等しい間隔で少なくとも３つ以上設け、少なくとも中央側に配置される前記蓋体用爪部の両側方に前記段差部を形成し、
少なくとも中央側に配置される前記蓋体側孔部の両側方に前記蓋体側突起部を形成することを特徴とする請求項１に記載のスロットイン型ディスク装置。
【請求項３】
４つの前記蓋体用爪部を設け、中央側に配置される２つの前記蓋体用爪部の両側方に前記段差部を形成し、
少なくとも中央側に配置される２つの前記蓋体側孔部の両側方に前記蓋体側突起部を形成することを特徴とする請求項２に記載のスロットイン型ディスク装置。
【請求項４】
前記段差部を、前記ディスク挿入口と平行な一つの連続する段差によって形成することを特徴とする請求項１から請求項３のいずれかに記載のスロットイン型ディスク装置。
【請求項５】
前記ベゼルには、前記ディスク挿入口と平行な他方の辺から前記ベース本体側に突出させた第１のベース本体用爪部を有し、
前記ベース本体には、前記第１のベース本体用爪部と係合する第１のベース本体側孔部を有し、
前記蓋体用爪部を前記蓋体側孔部と係合させた状態では、前記第１のベース本体用爪部が前記第１のベース本体側孔部と係合することを特徴とする請求項１に記載のスロットイン型ディスク装置。
【請求項６】
前記ベゼルには、前記ディスク挿入口と垂直な両辺から前記ベース本体側に突出させた第２のベース本体用爪部を有し、
前記ベース本体には、前記第２のベース本体用爪部と係合する第２のベース本体側孔部を有し、
前記蓋体用爪部を前記蓋体側孔部と係合させた状態では、前記第２のベース本体用爪部が前記第２のベース本体側孔部と係合することを特徴とする請求項１に記載のスロットイン型ディスク装置。
【請求項７】
前記ベゼルには、前記第１のベース本体用爪部の側方に形成したベース本体側突起部を有し、
前記ベース本体には、前記第１のベース本体側孔部の側方に形成した第３のベース本体側孔部を有し、
前記蓋体用爪部を前記蓋体側孔部と係合させた状態では、前記ベース本体側突起部が前記第３のベース本体側孔部に挿入されることを特徴とする請求項１に記載のスロットイン型ディスク装置。
【発明の詳細な説明】
【技術分野】
【０００１】
本発明は、ＣＤやＤＶＤなどのディスク状の記録媒体への記録、または再生を行うディスク装置に関し、外部からディスクを直接挿入排出できるスロットイン型ディスク装置に関する。
【背景技術】
【０００２】
スロットイン型ディスク装置では、フロント部にディスク挿入用の開口を備えたベゼル（フロントパネル）が装着される。ベゼルは装置の外装部品となるため、製品使用時に外れたりずれが発生したりしないよう確実にディスク装置に装着される必要がある。
特に薄型のディスク装置に用いるベゼルは、中央部にディスク挿入用の開口部が必要となるため、トレイタイプのベゼルよりもディスク装置本体に取り付けるためのビス締め部や引っ掛けツメ等の配置場所が制限される。
【発明の開示】
【発明が解決しようとする課題】
【０００３】
従って、少ないスペースの中で、ベゼルをディスク装置に取り付けるための部材を形成する必要がある。
特に、シャーシ外装をベース本体と蓋体とで構成するものにあっては、蓋体は変形を生じ易い。
しかし、蓋体が変形しても、ベゼルの外れやずれを有効に防止しなければならない。
【０００４】
そこで本発明は、特にベゼルと蓋体とのずれや外れを有効に防止することを目的とする。
【課題を解決するための手段】
【０００５】
請求項１記載の本発明のスロットイン型ディスク装置は、ベース本体と蓋体とからシャーシ外装を構成し、前記シャーシ外装のフロント面にはベゼルを設け、前記ベゼルに形成したディスク挿入口からディスクを直接挿入するスロットイン型ディスク装置であって、前記ベゼルには、前記ディスク挿入口と平行な一方の辺から前記蓋体側に突出させた蓋体用爪部と、前記蓋体用爪部の両側方に形成した段差部とを有し、前記蓋体には、前記蓋体用爪部と係合する蓋体側孔部と、前記蓋体側孔部の両側方に形成した蓋体側突起部とを有し、前記蓋体用爪部を前記蓋体側孔部と係合させた状態では、前記蓋体側突起部が前記段差部に当接することを特徴とする。
請求項２記載の本発明は、請求項１に記載のスロットイン型ディスク装置において、前記蓋体用爪部を、それぞれが等しい間隔で少なくとも３つ以上設け、少なくとも中央側に配置される前記蓋体用爪部の両側方に前記段差部を形成し、少なくとも中央側に配置される前記蓋体側孔部の両側方に前記蓋体側突起部を形成することを特徴とする。
請求項３記載の本発明は、請求項２に記載のスロットイン型ディスク装置において、４つの前記蓋体用爪部を設け、中央側に配置される２つの前記蓋体用爪部の両側方に前記段差部を形成し、少なくとも中央側に配置される２つの前記蓋体側孔部の両側方に前記蓋体側突起部を形成することを特徴とする。
請求項４記載の本発明は、請求項１から請求項３のいずれかに記載のスロットイン型ディスク装置において、前記段差部を、前記ディスク挿入口と平行な一つの連続する段差によって形成することを特徴とする。
請求項５記載の本発明は、請求項１に記載のスロットイン型ディスク装置において、前記ベゼルには、前記ディスク挿入口と平行な他方の辺から前記ベース本体側に突出させた第１のベース本体用爪部を有し、前記ベース本体には、前記第１のベース本体用爪部と係合する第１のベース本体側孔部を有し、前記蓋体用爪部を前記蓋体側孔部と係合させた状態では、前記第１のベース本体用爪部が前記第１のベース本体側孔部と係合することを特徴とする。
請求項６記載の本発明は、請求項１に記載のスロットイン型ディスク装置において、前記ベゼルには、前記ディスク挿入口と垂直な両辺から前記ベース本体側に突出させた第２のベース本体用爪部を有し、前記ベース本体には、前記第２のベース本体用爪部と係合する第２のベース本体側孔部を有し、前記蓋体用爪部を前記蓋体側孔部と係合させた状態では、前記第２のベース本体用爪部が前記第２のベース本体側孔部と係合することを特徴とする。
請求項７記載の本発明は、請求項１に記載のスロットイン型ディスク装置において、前記ベゼルには、前記第１のベース本体用爪部の側方に形成したベース本体側突起部を有し、前記ベース本体には、前記第１のベース本体側孔部の側方に形成した第３のベース本体側孔部を有し、前記蓋体用爪部を前記蓋体側孔部と係合させた状態では、前記ベース本体側突起部が前記第３のベース本体側孔部に挿入されることを特徴とする。
【発明の効果】
【０００６】
本発明によれば、蓋体に変形を生じても、蓋体用爪部の両側方に形成した段差部に蓋体側突起部を当接させることで、蓋体用爪部と蓋体側孔部との係合に影響を与えることが無く、ベゼルと蓋体とのずれや外れを防止することができる。
【発明を実施するための最良の形態】
【０００７】
本発明の第１の実施の形態によるスロットイン型ディスク装置は、ベゼルには、ディスク挿入口と平行な一方の辺から蓋体側に突出させた蓋体用爪部と、蓋体用爪部の両側方に形成した段差部とを有し、蓋体には、蓋体用爪部と係合する蓋体側孔部と、蓋体側孔部の両側方に形成した蓋体側突起部とを有し、蓋体用爪部を蓋体側孔部と係合させた状態では、蓋体側突起部が段差部に当接するものである。本実施の形態によれば、蓋体に変形を生じても、蓋体用爪部の両側方に形成した段差部に蓋体側突起部が当接するため、蓋体用爪部と蓋体側孔部との係合に影響を与えることが無く、ベゼルと蓋体とのずれや外れを防止することができる。
本発明の第２の実施の形態は、第１の実施の形態によるスロットイン型ディスク装置において、蓋体用爪部を、それぞれが等しい間隔で少なくとも３つ以上設け、少なくとも中央側に配置される蓋体用爪部の両側方に段差部を形成し、少なくとも中央側に配置される蓋体側孔部の両側方に蓋体側突起部を形成するものである。本実施の形態によれば、特に変形を受けやすい蓋体中央側において、蓋体用爪部の両側方に形成した蓋体側突起部が段差部に当接するため、蓋体用爪部と蓋体側孔部との係合に影響を与えることが無く、ベゼルと蓋体とのずれや外れを防止することができる。
本発明の第３の実施の形態は、第２の実施の形態によるスロットイン型ディスク装置において、４つの蓋体用爪部を設け、中央側に配置される２つの蓋体用爪部の両側方に段差部を形成し、少なくとも中央側に配置される２つの蓋体側孔部の両側方に蓋体側突起部を形成するものである。本実施の形態によれば、特に変形を受けやすい蓋体中央側の２箇所において、蓋体用爪部の両側方に形成した蓋体側突起部が段差部に当接するため、蓋体用爪部と蓋体側孔部との係合に影響を与えることが無く、ベゼルと蓋体とのずれや外れを防止することができる。
本発明の第４の実施の形態は、第１から第３の実施の形態によるスロットイン型ディスク装置において、段差部を、ディスク挿入口と平行な一つの連続する段差によって形成するものである。本実施の形態によれば、連続する段差部によってベゼルの長手方向の強度を向上させることができ、ベゼル自体の変形を防止することができる。
本発明の第５の実施の形態は、第１の実施の形態によるスロットイン型ディスク装置において、ベゼルには、ディスク挿入口と平行な他方の辺からベース本体側に突出させた第１のベース本体用爪部を有し、ベース本体には、第１のベース本体用爪部と係合する第１のベース本体側孔部を有し、蓋体用爪部を蓋体側孔部と係合させた状態では、第１のベース本体用爪部が第１のベース本体側孔部と係合するものである。本実施の形態によれば、ベース本体側でのベゼルのずれや外れを防止することで、蓋体とベゼルのずれや外れを防止することができる。
本発明の第６の実施の形態は、第１の実施の形態によるスロットイン型ディスク装置において、ベゼルには、ディスク挿入口と垂直な両辺からベース本体側に突出させた第２のベース本体用爪部を有し、ベース本体には、第２のベース本体用爪部と係合する第２のベース本体側孔部を有し、蓋体用爪部を蓋体側孔部と係合させた状態では、第２のベース本体用爪部が第２のベース本体側孔部と係合するものである。本実施の形態によれば、ベゼルの両側部において、ベース本体とベゼルとのずれや外れを防止することで、蓋体とベゼルのずれや外れを防止することができる。
本発明の第７の実施の形態は、第１の実施の形態によるスロットイン型ディスク装置において、ベゼルには、第１のベース本体用爪部の側方に形成したベース本体側突起部を有し、ベース本体には、第１のベース本体側孔部の側方に形成した第３のベース本体側孔部を有し、蓋体用爪部を蓋体側孔部と係合させた状態では、ベース本体側突起部が第３のベース本体側孔部に挿入されるものである。本実施の形態によれば、ベゼルとベース本体とのずれを、ベース本体側突起部と第３のベース本体側孔部とによって防止するために、第１のベース本体用爪部と第１のベース本体側孔部との係合状態を確保することができる。
【実施例】
【０００８】
以下本発明の一実施例によるスロットイン型ディスク装置について説明する。
図１は本実施例によるスロットイン型ディスク装置の蓋体側の斜視図、図２は同ディスク装置のベース本体側の斜視図である。
本実施例によるスロットイン型ディスク装置は、ベース本体１０と蓋体２０とからシャーシ外装が構成され、このシャーシ外装のフロント面にベゼル３０が装着される。また本実施例によるディスク装置は、ベゼル３０に設けたディスク挿入口３１からディスクを直接挿入するスロットイン型ディスク装置である。
ディスクへの記録再生機能やディスクのローディング機能を行う各部品は、ベース本体１０に装着される。
ベース本体１０は、蓋体２０に対する深底部１１と浅底部１２が形成され、浅底部１２によってフロント面からリア面に至るウイング部が形成されている。
蓋体２０の外縁部には、複数のビス孔２１が設けられ、蓋体２０は、ビスによってベース本体１０に取り付けられる。
蓋体２０の中央には、開口部２２が設けられている。この開口部２２は、ディスクの中心孔よりも大きな半径の円形開口である。従って、ディスクの中心孔に嵌合するスピンドルモータのハブよりも大きな開口である。
開口部２２の外周部には、ベース本体１０側に突出させた絞り部２３が形成されている。また開口部２２には、絞り部２３からベゼル３０側に向かって先細り形状をした絞り部２４が設けられている。この絞り部２４によって、ベース本体１０側に凸状ガイドを形成する。また蓋体２０には、複数の絞り部２５が形成され、これらの絞り部２５によってベース本体１０側に凸状ガイドを形成している。これらの絞り部２５によって形成される凸状ガイドによって、ディスク挿入口３１から挿入されるディスクがガイドされる。またこれら絞り部２３、２４、２５によって蓋体２０の強度を高めている。また蓋体２０のベゼル３０側の辺近傍には、ベース本体１０と反対側に突出させた所定長さの絞り部２６が形成されている。
【０００９】
図３は本実施例によるスロットイン型ディスク装置の蓋体とベゼルの分解斜視図、図４は同ディスク装置のベース本体とベゼルの分解斜視図、図５は同ディスク装置のベース本体とベゼルの組立状態を示す斜視図、図６は同ディスク装置のシャーシ本体とベゼルの分解状態を示す斜視図、図７は同ディスク装置の組立状態を示す要部斜視図である。
まず、ベース本体１０の構成について、特に図４から図６を用いて説明する。
ベース本体１０は、ベゼル３０側の辺に側壁１３を、深底部１１の一辺に側壁１４を、浅底部１２の一辺に側壁１５を立ち上げている。
側壁１３には、第１のベース本体側孔部１６Ａ、１６Ｂを形成している。また、側壁１４には第２のベース本体側孔部１７Ａを、側壁１５には第２のベース本体側孔部１７Ｂを形成している。また、側壁１３の第１のベース本体側孔部１６Ａの外方には第３のベース本体側孔部１８Ａを、側壁１３の第１のベース本体側孔部１６Ｂの外方には第３のベース本体側孔部１８Ｂを形成している。なお、第１のベース本体側孔部１６Ａ、１６Ｂは、ベゼル３０の幅方向長さを三等分する位置に配置することが好ましい。
【００１０】
次に、蓋体２０の構成について、特に図３及び図６を用いて説明する。
蓋体２０の絞り部２６には、等間隔に配置した蓋体側孔部２７Ａ、２７Ｂ、２７Ｃ、２７Ｄを形成している。蓋体側孔部２７Ａ、２７Ｄは蓋体２０の側方に、蓋体側孔部２７Ｂ、２７Ｃは蓋体２０の中央に設けている。
また蓋体２０のベゼル３０側の辺には、ベゼル３０側に突出させたそれぞれ一対の蓋体側突起部２８Ａ、２８Ｂを設けている。一対の蓋体側突起部２８Ａは、蓋体側孔部２７Ｂの両側方に形成され、一対の蓋体側突起部２８Ｂは、蓋体側孔部２７Ｃの両側方に形成されている。
【００１１】
次に、ベゼル３０の構成について説明する。
ベゼル３０に形成されたディスク挿入口３１は、中央が最も幅が広く、両側方にいくに従って幅が狭くなるように形成されている。
ベゼル３０には、ディスク挿入口３１と平行な一方の辺から蓋体２０側に突出させた段差部３２を形成している。この段差部３２は、ベゼル３０の一端から他端まで一つの連続する立ち上がり片で構成することが好ましい。段差部３２には、それぞれが等しい間隔で４つの蓋体用爪部３３Ａ、３３Ｂ、３３Ｃ、３３Ｄを形成している。蓋体用爪部３３Ａ、３３Ｄは、ベゼル３０の側方に配置され、蓋体用爪部３３Ｂ、３３Ｃは、ベゼル３０の中央に配置されている。また、ベゼル３０には、ディスク挿入口３１と平行な他方の辺からベース本体１０側に突出させた第１のベース本体用爪部３４Ａ、３４Ｂを有している。また、ベゼル３０には、ディスク挿入口３１と垂直な両辺、すなわちベゼル３０の両側部にベース本体１０側に突出させた第２のベース本体用爪部３６Ａ、３６Ｂを有している。また、第１のベース本体用爪部３４Ａ、３４Ｂの側方には、ベース本体側突起部３５Ａ、３５Ｂを形成している。なお、第１のベース本体用爪部３４Ａ、３４Ｂは、ベゼル３０の幅方向長さを三等分する位置に配置することが好ましい。また、第２のベース本体用爪部３６Ａと第２のベース本体用爪部３６Ｂとは、ベゼル３０に対して対角線上となるように、第２のベース本体用爪部３６Ａをベース本体１０寄りに、第２のベース本体用爪部３６Ｂを蓋体１０寄りに設けることが好ましい。
【００１２】
次に、蓋体２０とベゼル３０との取り付け状態について、特に図３、図６、及び図７を用いて説明する。
ベゼル３０に形成している４つの蓋体用爪部３３Ａ、３３Ｂ、３３Ｃ、３３Ｄは、蓋体２０に形成している４つの蓋体側孔部２７Ａ、２７Ｂ、２７Ｃ、２７Ｄと係合する。蓋体用爪部３３Ａ、３３Ｂ、３３Ｃ、３３Ｄを蓋体側孔部２７Ａ、２７Ｂ、２７Ｃ、２７Ｄと係合させた状態では、４つの蓋体側突起部２８Ａ、２８Ｂが段差部３２に当接する。このように、中央側に配置される２つの蓋体用爪部３３Ｂ、３３Ｃの両側方において、蓋体側突起部２８Ａ、２８Ｂが段差部３２に当接するため、仮に蓋体２０に局部的な荷重が加わり変形を生じたとしても、蓋体用爪部３３Ｂ、３３Ｃと蓋体側孔部２７Ｂ、２７Ｃとの係合に影響を与えない。また、本実施例では、段差部３２を、ディスク挿入口３１と平行な一つの連続する立ち上がり片によって形成することで、ベゼル３０の長手方向の強度を向上させることができ、ベゼル自体の変形を防止することができる。
【００１３】
次に、ベース本体１０とベゼル３０との取り付け状態について、特に図４、図５、及び図６を用いて説明する。
ベゼル３０に形成している２つの第１のベース本体用爪部３４Ａ、３４Ｂは、ベース本体１０に形成している２つの第１のベース本体側孔部１６Ａ、１６Ｂと係合する。また、ベゼル３０に形成している第２のベース本体用爪部３６Ａ、３６Ｂは、ベース本体１０に形成している第２のベース本体側孔部１７Ａ、１７Ｂと係合する。また、ベゼル３０に形成しているベース本体側突起部３５Ａ、３５Ｂは、ベース本体１０に形成している第３のベース本体側孔部１８Ａ、１８Ｂと係合する。
このように、第１のベース本体用爪部３４Ａ、３４Ｂが第１のベース本体側孔部１６Ａ、１６Ｂと係合することで、ベース本体１０とベゼル３０のずれや外れを防止することができる。また、第２のベース本体用爪部３６Ａ、３６Ｂが第２のベース本体側孔部１７Ａ、１７Ｂと係合することで、ベゼル３０の両側部において、ベース本体１０とのずれや外れを防止することができる。また、ベース本体側突起部３５Ａ、３５Ｂが第３のベース本体側孔部１８Ａ、１８Ｂに挿入されることで、第１のベース本体用爪部３４Ａ、３４Ｂと第１のベース本体側孔部１６Ａ、１６Ｂとの係合状態を確実に維持することができる。従って、ベース本体１０とベゼル３０とのずれや外れを防止することで、蓋体２０とベゼル３０のずれや外れを防止することができる。
【００１４】
なお、本実施例においては、４つの蓋体用爪部３３Ａ、３３Ｂ、３３Ｃ、３３Ｄと、４つの蓋体側孔部２７Ａ、２７Ｂ、２７Ｃ、２７Ｄを形成した場合で説明したが、それぞれ３つ以下を等間隔に形成してもよく、更には５つ以上形成してもよい。また、一つの蓋体用爪部を形成したものでもよい。
また、本実施例においては、２つの第１のベース本体用爪部３４Ａ、３４Ｂと、２つの第１のベース本体側孔部１６Ａ、１６Ｂを形成した場合で説明したが、それぞれ１つをベゼル３０の中央に形成してもよい。また、第１のベース本体用爪部と第１のベース本体側孔部とを３つ以上形成してもよい。
また、本実施例においては、段差部３２をベゼル３０の一端から他端まで一つの連続する立ち上がり片で構成したが、蓋体側突起部２８Ａ、２８Ｂに対応した位置に、それぞれ設けてもよい。また、段差部３２は、窪みや孔によって形成されるものであってもよい。
【産業上の利用可能性】
【００１５】
本発明のスロットイン型ディスク装置は、表示手段と入力手段と演算処理手段などを一体化した、いわゆるノート型パソコン本体に内蔵、または一体的にセットされるディスク装置として特に有用である。
【図面の簡単な説明】
【００１６】
【図１】本発明の一実施例によるスロットイン型ディスク装置の蓋体側の斜視図
【図２】同ディスク装置のベース本体側の斜視図
【図３】同ディスク装置の蓋体とベゼルの分解斜視図
【図４】同ディスク装置のベース本体とベゼルの分解斜視図
【図５】同ディスク装置のベース本体とベゼルの組立状態を示す斜視図
【図６】同ディスク装置のシャーシ本体とベゼルの分解状態を示す斜視図
【図７】同ディスク装置の組立状態を示す要部斜視図
【符号の説明】
【００１７】
１０  ベース本体
１６Ａ、１６Ｂ  第１のベース本体側孔部
１７Ａ、１７Ｂ  第２のベース本体側孔部
１８Ａ、１８Ｂ  第３のベース本体側孔部
２０  蓋体
２７Ａ、２７Ｂ、２７Ｃ、２７Ｄ  蓋体側孔部
２８Ａ、２８Ｂ  蓋体側突起部
３０  ベゼル
３１  ディスク挿入口
３２  段差部
３３Ａ、３３Ｂ、３３Ｃ、３３Ｄ  蓋体用爪部
３４Ａ、３４Ｂ  第１のベース本体用爪部
３５Ａ、３５Ｂ  ベース本体側突起部
３６Ａ、３６Ｂ  第２のベース本体用爪部
【図１】
2006323905.tif 000003
【図２】
2006323905.tif 000004
【図３】
2006323905.tif 000005
【図４】
2006323905.tif 000006
【図５】
2006323905.tif 000007
【図６】
2006323905.tif 000008
【図７】
2006323905.tif 000009